【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
固定輪の周面と回転輪の周面との間に存在する空間部の開口端部を塞ぐと共に、上記回転輪の回転速度を検出する為に使用するエンコーダ付組み合わせシールリングであって、
上記固定輪の周面に固定されるシールリングと、上記回転輪の周面に固定されるスリンガと、このスリンガに支持固定される、金属板を備えたエンコーダとを備え、
上記シールリングは、上記固定輪の周面に嵌合固定される固定円筒部及びこの固定円筒部の端縁から上記回転輪の周面に向け折れ曲がった固定円輪部から成る芯金と、この芯金の全周に亙って添着された、シールリップを有する弾性材とを備え、
上記スリンガは、上記回転輪の周面に嵌合固定される回転円筒部と、この回転円筒部の端縁から上記固定輪の周面に向け折れ曲がった回転円輪部とを備えて、弾性材を備えず、上記回転円筒部の周面及び上記回転円輪部の片側面で上記シールリップの先端縁を摺接させる部分を平滑面としており、
上記エンコーダは、特性を円周方向に亙り交互に且つ等間隔に変化させた被検出部を有するもので、直径方向に関して上記回転円筒部と反対寄り部分の片側面を、上記回転円輪部の一部で直径方向に関して上記回転円筒部と反対寄り部分の他側面に、上記金属板を上記回転円輪部に溶接する事により添着している事を特徴とするエンコーダ付組み合わせシールリング。
【手続補正２】
【補正対象書類名】明細書
【補正対象項目名】００１３
【補正方法】変更
【補正の内容】
【００１３】
更に、前記エンコーダ２５は、鋼板等の磁性金属板を打ち抜き成形する事により、全体を円輪状に造っている。そして、それぞれが外周縁側に開口する多数の切り欠き３３を、円周方向に亙って等間隔に形成する事により、円周方向に亙る磁気特性を、交互に且つ等間隔に変化させている。即ち、このエンコーダ２５は、外周寄り部分に櫛歯状に形成された被検出部３４を、内周寄り部分に上記各切り欠き３３の間部分に存在する多数の舌片３５の直径方向内端縁同士を連結するリム部３６を、それぞれ備える。この様なエンコーダ２５は、上記リム部３６の外側面を上記回転円輪部３２の内側面内周寄り部分に当接させた状態で、この当接部にスポット溶接等の溶接を施す事により、上記回転円輪部３２に対し添着固定している。又、この様に添着固定した状態で、上記エンコーダ２５と上記スリンガ２４とは互いに同心にしている。
【手続補正３】
【補正対象書類名】明細書
【補正対象項目名】００１６
【補正方法】変更
【補正の内容】
【００１６】
【発明が解決しようとする課題】
上述の様に構成する先発明に係るエンコーダ付組み合わせシールリングには、未だ改良すべき余地が残されている。即ち、この先発明に係るエンコーダ付組み合わせシールリングを構成すべく、上記エンコーダ２５を上記スリンガ２４の回転円輪部３２に対し添着固定する際には、前述した様に、このエンコーダ２５の内周寄り部分を構成するリム部３６の外側面を、上記回転円輪部３２の内側面の内周寄り部分に当接させた状態で、この当接部にスポット溶接等の溶接を施す。ところが、上記回転円輪部３２の内側面のうち、この回転円輪部３２の内周縁部分には、上記リム部３６の外側面と当接できない曲面部３７が存在する。
【手続補正４】
【補正対象書類名】明細書
【補正対象項目名】００１７
【補正方法】変更
【補正の内容】
【００１７】
上述の様な溶接は、上記曲面部３７の外周縁よりも直径方向外方で、上記リム部３６の外側面と上記回転円輪部３２の内側面内周寄り部分とが当接した部分に施す必要がある。この為、少なくとも上記リム部３６の外径を上記曲面部３７の外周縁の直径よりも十分に大きくして、このリム部３６の外側面の少なくとも一部（外周寄り部）を、平坦面である上記回転円輪部３２の内側面に、全周に亙り当接させる必要がある。尚、図９に示した先発明の場合には、リム部３６の内周縁を上記曲面部３７の外周縁とほぼ一致させる事により、このリム部３６の外側面の全体を、平坦面である上記回転円輪部３２の内側面の内周寄り部に、全周に亙り当接させている。
【手続補正５】
【補正対象書類名】明細書
【補正対象項目名】００１９
【補正方法】変更
【補正の内容】
【００１９】
【課題を解決する為の手段】
本発明のエンコーダ付組み合わせシールリングは、固定輪の周面と回転輪の周面との間に存在する空間部の開口端部を塞ぐと共に、上記回転輪の回転速度を検出する為に使用する。
この様なエンコーダ付組み合わせシールリングは、上述した先発明に係るエンコーダ付組み合わせシールリングと同様、上記固定輪の周面に固定されるシールリングと、上記回転輪の周面に固定されるスリンガと、このスリンガに支持固定される、金属板を備えたエンコーダとを備える。
そして、上記シールリングは、上記固定輪の周面に嵌合固定される固定円筒部及びこの固定円筒部の端縁から上記回転輪の周面に向け折れ曲がった固定円輪部から成る芯金と、この芯金の全周に亙って添着された、シールリップを有する弾性材とを備える。
又、上記スリンガは、上記回転輪の周面に嵌合固定される回転円筒部と、この回転円筒部の端縁から上記固定輪の周面に向け折れ曲がった回転円輪部とを備えて、弾性材を備えず、上記回転円筒部の周面及び上記回転円輪部の片側面で上記シールリップの先端縁を摺接させる部分を平滑面としている。
更に、上記エンコーダは、特性を円周方向に亙り交互に且つ等間隔に変化させた被検出部を有するもので、直径方向に関して上記回転円筒部と反対寄り部分の片側面を、上記回転円輪部の一部で直径方向に関して上記回転円筒部と反対寄り部分の他側面に、上記金属板を上記回転円輪部に溶接する事により添着している。そして、好ましくはこの状態で、上記エンコーダの一部で直径方向に関して上記回転円筒部側の端縁部分を、少なくとも上記回転円輪部と上記回転円筒部側とを連続させる曲面部にまで延長している。
【手続補正６】
【補正対象書類名】明細書
【補正対象項目名】００２０
【補正方法】変更
【補正の内容】
【００２０】
【作用】
上述の様に構成される本発明のエンコーダ付組み合わせシールリングにより、固定輪の周面と回転輪の周面との間を塞ぎ、これら両周面同士の間の空間内に異物が進入する事を防止すると同時に、この空間内に充填されたグリースが外部に漏洩する事を防止する作用自体は、前述した先発明に係るエンコーダ付組み合わせシールリングの場合と同様である。
特に、本発明のエンコーダ付組み合わせシールリングの場合、スリンガの回転円輪部に添着固定するエンコーダの被検出部の直径方向に亙る幅寸法を、少なくとも曲面部の直径方向に亙る幅寸法分だけ、前述した先発明の場合よりも大きくできる。そして、この様にエンコーダの直径方向に亙る幅寸法を大きくできる分だけ、このエンコーダの一部を構成する被検出部の直径方向に亙る幅寸法を大きくして、この被検出部の円周方向に亙る特性の変化を大きくできる。この結果、検出部を上記被検出部に対向させたセンサの出力を大きくして、このセンサと上記エンコーダとにより構成する回転速度検出装置による回転速度検出の精度を向上させる事ができる。
【手続補正７】
【補正対象書類名】明細書
【補正対象項目名】００２２
【補正方法】変更
【補正の内容】
【００２２】
スリンガ２４の回転円輪部３２に添着固定するエンコーダ２５ａは、鋼板等の磁性金属板を打ち抜き成形する事により、全体を円輪状に造っている。そして、それぞれが内周縁側に開口する多数の切り欠き３３ａを、円周方向に亙って等間隔に形成する事により、円周方向に亙る磁気特性を、交互に且つ等間隔に変化させている。即ち、このエンコーダ２５ａは、内周寄り部分に櫛歯状に形成された被検出部３４ａを、外周寄り部分に上記各切り欠き３３ａの間部分に存在する多数の舌片３５ａの直径方向外端縁同士を連結するリム部３６ａを、それぞれ備える。この様なエンコーダ２５ａは、上記リム部３６ａの外側面（図１〜２の右側面）を上記回転円輪部３２の内側面外周寄り部分に当接させた状態で、この当接部にスポット溶接等の溶接により、上記回転円輪部３２に対し添着固定している。又、この様に添着固定した状態で、上記エンコーダ２５ａの内周縁は、上記回転円輪部３２の内側面の内周縁部分に存在する曲面部３７の外周縁よりも直径方向内方（図２の下方）にまで延出している。但し、上記エンコーダ２５ａの内側面は、上記内輪４及び外輪５の内端面（図１〜２の左端面）よりも内方（図１〜２の左方）には突出しない。
【手続補正８】
【補正対象書類名】明細書
【補正対象項目名】００２６
【補正方法】変更
【補正の内容】
【００２６】
即ち、上記エンコーダ２５ａは、外周寄り部分に設けたリム部３６ａの外側面を上記回転円輪部３２の内側面外周寄り部分に溶接する事により、この回転円輪部３２に対し添着固定している。この為、上記エンコーダ２５ａの内周寄り部分に設けた被検出部３４ａの内周縁を、上記回転円輪部３２の内周縁部分に形成された曲面部３７に対向する部分にまで延長できる。従って、この様に延長させた分だけ、上記被検出部３４ａの直径方向に亙る幅寸法を大きくして、この被検出部３４ａの円周方向に亙る磁気特性の変化を大きくできる。この結果、検出部を上記被検出部３４ａに対向させたセンサ１８ａの出力を大きくして、このセンサ１８ａと上記エンコーダ２５ａとにより構成される回転速度検出装置による回転速度検出の精度を向上させる事ができる。その他の部分の構成及び作用は、前述した従来構造及び先発明の構造の場合と同様である。
【手続補正９】
【補正対象書類名】明細書
【補正対象項目名】００２９
【補正方法】変更
【補正の内容】
【００２９】
又、本例の場合、上記回転円輪部３２の内側面に添着固定したエンコーダ２５ａは、内輪４及び外輪５の内端面よりも内方に突出してはいるが、このエンコーダ２５ａが他の物品にぶつかった場合でも、上記被検出部３４ａが変形等する事を有効に防止できる。即ち、本例の場合、上記エンコーダ２５ａの内周寄り部分のうち、上記回転円筒部３１の内周面よりも直径方向内方に突出させた部分を、上記内輪４の内端面に突き当てている。従って、車両への組み付け以前に上記エンコーダ２５ａが他の物品にぶつかった場合にも、このエンコーダ２５ａの内周寄り部分に加わった衝撃は、上記内輪４の内端面が支承する。この為、このエンコーダ２５ａの内周寄り部分に形成した被検出部３４ａに、変形等の損傷が発生する事を防止できる。その他の部分の構成及び作用は、前述した第１例の場合と同様である。尚、本例の様に、エンコーダを構成する被検出部の損傷を防止すべく、前述の図９に示した先発明に於けるエンコーダ２５の取付部の構造で、このエンコーダ２５の外周寄り部分を外輪５の内周寄り部分と全周に亙り軸方向に重畳させると共に、この重畳した部分を上記外輪５の内端面に当接させる事も考えられる。但し、この様な構造は、上記エンコーダ２５が上記外輪５と相対回転する関係上採用できない。即ち、先発明の構造で被検出部を外輪等の固定輪の内端面によりバックアップすると、被検出部と固定輪とが摩擦して発熱する。従って、上記被検出部を軌道輪の内端面によりバックアップする構造は、本発明により初めて可能になる。
【手続補正１０】
【補正対象書類名】明細書
【補正対象項目名】００３３
【補正方法】変更
【補正の内容】
【００３３】
上述の様に構成するエンコーダ４７は、外側面を上記回転円輪部３２ａの内側面に当接させた状態で、スポット溶接等の溶接により、上記回転円輪部３２ａに対し添着固定している。又、この様に添着固定した状態で、上記芯金４１及びエンコーダ本体４２の外周寄り部分は、上記回転円筒部３１ａの外周面よりも直径方向外方に突出している。更に、この様に突出した部分を、上記外輪５の内端面に当接させている。尚、本例の場合、上記エンコーダ４７と共に回転速度検出装置を構成するセンサとしては、例えば、ホール素子、磁気抵抗素子等、磁束の流れ方向に応じて出力を変化させる磁気検出素子と、この磁気検出素子の出力波形を整える為の波形整形回路とを組み込んだＩＣとにより構成される、アクティブ型のセンサを使用する。